(57)【特許請求の範囲】
【請求項１】
波長の異なるレーザ光をそれぞれ発生させる２つの光源と、
各波長のレーザ光に対してそれぞれ個別に配置されたディテクタと、
光学記録媒体からの反射光ビームを前記各ディテクタの該当する波長のものに導く回折素子とを備え、
前記ディテクタで得られた出力を用いて光学記録媒体におけるスポットのフォーカス誤差検出およびトラッキング誤差検出を行う光記録再生装置であって、
２つの光源からのレーザ光を共通の対物レンズを介して光学記録媒体に照射し、光学記録媒体からの前記対物レンズを通した反射光ビームを分割受光素子によって同時に検出する構成を有すると共に、
２種の波長の光ビームのうち、一方の光ビームを光学記録媒体に合焦させて記録再生に用いる時、他方の非合焦側光ビームの光学記録媒体上のスポット径が前記一方の光ビームより大きく設定され、
合焦側の光ビームの受光素子からのプッシュプル方式の原トラッキング誤差信号と、非合焦側の光ビームの受光素子のプッシュプル方式のトラッキング誤差信号との間で減算を行なうことによりトラッキング誤差信号を得る演算回路を有し、
該演算回路は、前記２種の光ビームについてそれぞれトラッキング誤差信号を得る場合に共用される構成を有する
ことを特徴とする光記録再生装置。
【請求項２】
請求項１の光記録再生装置において、
前記合焦側の光ビームの光学記録媒体上のスポット径に対し、非合焦側の光ビームの光学記録媒体におけるスポット径を２．５〜１５倍に設定した
ことを特徴とする光記録再生装置。
【請求項３】
請求項１または２の光記録再生装置において、
２種の波長のレーザ光を発生させる光源のレーザ光の出射方向の位置を偏位させた
ことを特徴とする光記録再生装置。
【請求項４】
請求項１から３までのいずれかの光記録再生装置において、
現在使用中の光学記録媒体を表示する信号により、トラッキング誤差信号の演算回路の出力の極性を反転させる極性選択回路を有する
ことを特徴とする光記録再生装置。
【発明の詳細な説明】
【０００１】
【発明の属する技術分野】
本発明は、２種の波長の光源を備えた光ヘッドを用いる光記録再生装置に関する。
【０００２】
【従来の技術】
光ディスクの種類が多様化している現在、複数種の仕様のディスクに対応するため、２種の波長の光源を搭載する光ヘッドが広く用いられている。同時に、そのようなヘッドに搭載することを目的として、２種の波長の光源を１つのチップに搭載したレーザモジュール（ＬＤモジュール）が提案されている（特開平９−１２０５６８号）。このようなＬＤモジュールを搭載した光ヘッドは、通常、記録再生を行う光学記録媒体の種類に合わせて、各々の波長の光ビームを個別に点灯させ、所望の媒体の記録信号を読み取るという使い方がなされる。
【０００３】
一方、光学記録媒体の情報を読み取るために必要な受光素子は、記録情報を含む高周波信号（通常ＲＦ信号と呼ばれる）の他に、トラッキングサーボを行うために必要な各誤差信号を生成する必要があるため、通常、形は様々であるが、１本の光ビームに対して複数個に分割された設計が必要となる。さらに、このような光ヘッドには、同一の光軸から、光源からの出射光と光学記録媒体からの反射光を分離するための手段が必要であり、この用途に使用されるレーザモジュールは、これらの分割受光素子と光を分離する手段も同時に備えた設計がなされている。
【０００４】
また、このようなトラッキング誤差検出方式の１つに、例えば特開平６−１６２４５７号に記載の３光ビーム方式がある。この方式は、ＬＤモジュール光学記録媒体（光ディスクが代表的なものである。）上に、記録情報の読み取りを行う主光ビームの他に、トラッキングサーボのみに用いる２本の副光ビームを備える方法であり、対物レンズの光ディスクの半径方向へのシフト等によって生じるＤＣオフセットの発生が少なく、光ディスクのビット深さやサイズ等、各種の溝パラメータに影響を受けにくく、安定したサーボ性能が確保できるため、現在広く用いられるトラッキング誤差検出方向の１つである。
【０００５】
【発明が解決しようとする課題】
しかし、前述の３光ビーム方式は、主光ビームの他に２本の副光ビームを分割生成する必要があるため、主光ビームの光量が減少するという欠点があった。さらに、副光ビームを個別に受けるための受光素子も必要となるため、必然的に他方式よりも受光素子の設置のために確保する面積が広く必要となる。この問題は従来のディスクリート方式（素子や回路を集積させず、単機能を持った部品を並べて構成する方式）の光ヘッドでは大きな影響は無かった。しかし、光源と受光素子、さらに光分離手段を１つの素子に集積化したレーザモジュールにおいては、素子全体のサイズが小さいため、迷光の影響を受けずに副光ビームの受光素子を配置する場所の確保が容易でなくなる。さらに前述の２種の光源と、それぞれ独立の受光素子を備えた２波長型レーザモジュールでは、この問題がさらに深刻となるため、何らかの方法による改善が必要となる。
【０００６】
前記した受光素子の設置面積の問題を解決する方法、すなわち設置面積を小さくする最も簡便な方法として、副光ビームを用いないトラッキング方式を採用する方法がある。この副光ビームを用いないで主光ビームのみを用いるトラッキング方式は、（１）例えば特開平１０−２６９５８８号に記載の位相差検出法、またはヘテロダイン法のように、トラッキング誤差信号（以下ＴＥ信号と略する）の生成にＲＦ信号を用いる方法、（２）プッシュプル法のように、ＲＦ信号を用いない方法がある。
【０００７】
これらの方法のうち、（１）の方法は、ＣＤ−Ｒ、ＤＶＤ−Ｒのように、未登録部分のトラッキングサーボが必要となる媒体には適用できない。一方、前記（２）のプッシュプル法は、主光ビームスポットの反射光を受ける受光素子でなるディテクタを、トラック方向の分割線とラジアル方向の分割線に分割された４つの素子に分割し、演算回路により、各受光素子の出力からトラッキング誤差信号を得、スポットがトラック（ピット）の中央にあるときにはＴＥ＝０であるが、スポットがどちらかに偏るとＴＥ＞０またはＴＥ＜０となるので、このＴＥをトラッキング制御に利用するものである。
【０００８】
しかし前記（２）のプッシュプル法は、トラッキング誤差信号を得る最も簡単な方法で、光記録システムが開発された当初から広く用いられて来た。しかしこの方法は、トラッキング制御のために、トラッキングコイルにより対物レンズが駆動されて他の光学系に対して対物レンズがディスクのラジアル方向に相対的に移動したり、ディスクが対物レンズに対して傾いている等の場合には、受光素子でなるディテクタに落ちるスポットの位置や強度が変化するため、生成されたトラッキング誤差信号に直流変動が生じ、この直流変動はＤＣオフセットと称される。
【０００９】
このＤＣオフセット成分を含んだままサーボをかけると、特に偏心の大きいディスクを用いる場合には、トラッキング性能が著しく劣化し、トラック外れを起こしやすくなる。このため、プッシュプル方式は通常このＤＣオフセットを除くための手段と併用して用いられることが多い。
【００１０】
このＤＣオフセットを除く従来の方式として、ディスクの偏心に伴うＤＣオフセットの発生量を予め見積もり、学習させてから、トラッキングサーボの際にそのオフセット量を補正する方式が知られている。また、別の従来方式として、光ヘッドのスレッド方向の追従性能を向上させてレンズシフトを最小限に押さえる方式が知られている。さらに、別の従来方式として、ディスク上にミラー領域（トラックもピットもない領域）を設けて、このミラー部分でオフセットを補正しながらトラッキングサーボをかける方式が知られている。
【００１１】
しかし、これらはいずれも複雑な信号処理、または応答特性の良い機構部分、または特殊なフォーマットのディスク等を必要とするため、現実にはあまり用いられていないのが現状である。
【００１２】
本発明は、このような従来技術の問題点に鑑み、２種の光源を搭載した光ヘッドまたは光記録再生装置において、ＤＣオフセットを低減する機能を持つと同時に、従来より少ない受光素子の数および設置面積で済み、小型化が容易となる光記録再生装置を提供することを目的とする。
【００１３】
【課題を解決するための手段】
請求項１の光記録再生装置は、波長の異なるレーザ光をそれぞれ発生させる２つの光源と、
各波長のレーザ光に対してそれぞれ個別に配置されたディテクタと、
光学記録媒体からの反射光ビームを前記各ディテクタの該当する波長のものに導く回折素子とを備え、
前記ディテクタで得られた出力を用いて光学記録媒体におけるスポットのフォーカス誤差検出およびトラッキング誤差検出を行う光記録再生装置であって、
２つの光源からのレーザ光を共通の対物レンズを介して光学記録媒体に照射し、光学記録媒体からの前記対物レンズを通した反射光ビームを分割受光素子によって同時に検出する構成を有すると共に、
２種の波長の光ビームのうち、一方の光ビームを光学記録媒体に合焦させて記録再生に用いる時、他方の非合焦側光ビームの光学記録媒体上のスポット径が前記一方の光ビームより大きく設定され、
合焦側の光ビームの受光素子からのプッシュプル方式の原トラッキング誤差信号と、非合焦側の光ビームの受光素子のプッシュプル方式のトラッキング誤差信号との間で減算を行なうことによりトラッキング誤差信号を得る演算回路を有し、
該演算回路は、前記２種の光ビームについてそれぞれトラッキング誤差信号を得る場合に共用される構成を有する
ことを特徴とする。
【００１４】
このように、本発明の光記録再生装置は、従来の光ヘッドのように、２種の光源のうち、光学記録媒体の種類に合致した光源のみを作動させるのではなく、２種の光源を同時に作動させて、２種の光ビームのうち、光学記録媒体の種類に合致した一方の光ビームは記録面に合焦させて照射し、他方の光ビームは非合焦として記録面上のスポット径を合焦の光ビームのスポット径よりも大きく設定するので、非合焦側光ビームのスポットはディスク上の数トラック分にわたるラジアル方向の広い範囲にわたって照射される。したがって、非合焦側光ビームによる反射光中には、光ビームスポットがトラックを横切ることによって生じるトラッククロス成分（トラック溝とランドとの反射光の強度差による成分）はほとんど含まなくなる。換言すれば、非合焦側光ビームのスポット径の増大のため、非合焦側光ビームにおける光学的伝達係数（ＯＴＰ）の遮断周波数が低域側にシフトするので、空間周波数（トラックピッチの逆数）の高いトラッククロス成分が除去され、この非合焦側光ビームをトラッキング方向の分割線により分割配置された受光素子で受光してその差を取れば、この差の信号は、レンズシフトなどによって生じるＤＣオフセット成分のみを含む信号が得られる。すなわち本発明においては、非合焦側光ビームのスポット径を主光ビームのスポット径より大きくすることによって、トラックピッチに相当する空間周波数成分をフィルタ効果により除去するように設計する。
【００１５】
このように、本発明においては、２種の光源を同時に働かせるので、光学記録媒体に合致する一方の光源からの光ビームは信号の再生やフォーカス誤差信号に用いることができ、他方の信号はＤＣオフセットの補正に用いることができる。このため、ＤＣオフセットを補正しつつ、受光素子の兼用を可能とするので、受光素子の数を減らすことができる。
【００１６】
また、トラッキング誤差信号を得るための演算回路は、２種の光ビームについて１つの演算回路が共用される構成としたので、演算回路の構成も簡略化される。
【００１７】
請求項２の光ヘッドは、請求項１の光記録再生装置において、
前記合焦側の光ビームの光学記録媒体上のスポット径に対し、非合焦側の光ビームの光学記録媒体におけるスポット径を２．５〜１５倍に設定した
ことを特徴とする
【００１８】
このように、非合焦側光ビームのスポット径を主光ビームの２．５倍以上とすれば、非合焦側光ビームのスポットはディスク上の数トラック分にわたるラジアル方向の広い範囲にわたって照射される。したがって、非合焦側光ビームによる反射光中には、光ビームスポットがトラックを横切ることによって生じるトラッククロス成分（トラック溝とランドとの反射光の強度差による成分）はほとんど含まなくなるので、ＤＣオフセットをほとんど含まないトラッキング誤差信号を得ることができる。具体的には、非合焦側光ビームのディスクのラジアル方向の幅が合焦側光ビームのスポット径に対して前記２．５以上あれば、演算後のトラッククロス成分の振幅を本来得られるべきトラッククロス信号の９０％以上に保つことができる。
【００１９】
非合焦側光ビームのスポット径の上限は、この非合焦側光ビームが合焦側光ビームとディスクタ（受光素子）上で重ならないようなサイズに設定する必要があることから制限をうける。また、ディテクタの受光面積からも制限を受ける。これらの制限のうち、ディテクタの受光面積による制限の方が厳しく、このディテクタの１辺は通常ほぼ１５０μｍ以下に設定され、光ヘッドにおけるディスク側と受光素子側の倍率を１０倍に設計すれば、非合焦側光ビームのスポット径は１５μｍ以下に設定することが実状に合致している。一方、合焦側光ビームのディスク上のスポット径は１μｍ程度であるから、非合焦側光ビームのスポット径は主光ビームのスポット径の１５倍以下とすることが望ましい。
【００２０】
請求項３の光ヘッドは、請求項１または２の光記録再生装置において、
２種の波長のレーザ光を発生させる光源のレーザ光の出射方向の位置を偏位させた
ことを特徴とする。
【００２１】
このように、２種の光源のレーザ光の出射方向にそって偏位させることにより、２種の光ビームの光記録媒体上におけるスポット径の差を制御することができる。
【００２２】
請求項４の光記録再生装置は、請求項１から３までのいずれかの光記録再生装置において、
現在使用中の光学記録媒体を表示する信号により、トラッキング誤差信号の演算回路の出力の極性を反転させる極性選択回路を有する
ことを特徴とする。
【００２３】
このように、現在使用中の光記録媒体がいずれであるかによって、トラッキング誤差信号の演算回路の出力の極性を逆転、非逆転を選択すれば、トラッキング誤差信号を得る演算回路を共用を容易化することができ、回路構成が簡単になる。
【００２４】
【発明の実施の形態】
図１は本発明による光記録再生装置を構成する光ヘッド部の一実施の形態を示すブロック図である。図１において、１はレーザモジュール（ＬＤモジュール）であり、該レーザモジュールは２種の光源２、３と分割受光素子からなるディテクタ４、５と光学記録媒体からの反射光ビームをディテクタ４、５の対応する受光素子に導くホログラム回折素子６とを備える。７はコリメータレンズ、８は対物レンズ、９は光学記録媒体の１つである光ディスクである。図１において、光源２、３は例えばＤＶＤ光源（６５０ｎｍの波長のレーザ光を発する）としての第１の光源と、ＣＤ光源（７８０ｎｍの波長のレーザ光を発する）としての第２の光源である。従来の装置においては、光記録媒体９の種類に応じて第１の光源２と第２の光源３のいずれかを作動させていたが、本発明においては、これらの光源２、３を同時に作動させて光記録媒体９に照射される。
【００２５】
前記ホログラム回折素子６は、図２（Ａ）に示すように、α、β、γの領域を有する。領域αは、領域β、γに対し、ラジアル方向の分割線６ａにより分割され、領域β、γは、トラック方向の分割線６ｂにより分割されている。
【００２６】
図２（Ａ）はディテクタ４、５の配置を示すもので、１１（１２）は前記ホログラム素子６の領域αで回折された光ディスクからの反射光を受光する受光素子であり、光源２（３）からの光ビームの光記録媒体９からの反射光から、それぞれフォーカス誤差信号を得るための受光素子である。これらの受光素子１１、１２は、それぞれラジアル方向の分割線１１ａ、１２ａにそって分割され、分割された領域の出力（Ａ−Ｂ）または（ａ−ｂ）の演算結果の信号の正負により、光記録媒体９上のフォーカス誤差を判定するものである。
【００２７】
１３（１４）は光源２（３）でそれぞれ出射され、光記録媒体９で反射された反射光のうち、ホログラム回折素子６の領域βでそれぞれ回折されたものを受光する受光素子である。１５（１６）は光源２（３）でそれぞれ出射され、光記録媒体９で反射された反射光のうち、ホログラム回折素子６の領域γでそれぞれ回折されたものを受光する受光素子である。
【００２８】
図２（Ｂ）は図２（Ａ）に示した受光素子からトラッキング誤差信号を得るための演算回路である。２０は前記受光素子１３、１５の出力Ｃ、Ｄの差を得る演算回路、２１は受光素子１４、１６の出力ｃ、ｄの差を得る演算回路、２２は該演算回路２１のＤＣオフセットのレベルを、演算回路２０のＤＣオフセットのレベルに合わせる係数回路、２３は演算回路２０の出力から係数回路２２の出力を減算する演算回路である。該演算回路２３の出力ＴＥは、
ＴＥ＝（Ｃ−Ｄ）−ｋ（ｃ−ｄ）      …（１）
で表示される。
【００２９】
２４は演算回路２３の出力の極性選択回路である。該回路２４は、光記録再生装置に備えられている光記録媒体検知手段２５が、第１の光源２の対象となる光記録媒体の場合には、前記演算回路２３の出力信号をそのままＴＥ信号出力端子２６より出力し、第２の光源３の対象となる光記録媒体の場合には、前記演算回路２３の出力信号の極性を反転させてＴＥ信号出力端子２６より出力するものである。
【００３０】
２７は前記受光素子１１の分割線１１ａにより分割された２つの領域の出力差（Ａ−Ｂ）、すなわち第１の光源２を記録再生に用いる際のフォーカス誤差信号を得る演算回路である。２９は前記受光素子１２の分割線１２ａにより分割された２つの領域の出力差（ａ−ｂ）、すなわち第２の光源３を記録再生に用いる際のフォーカス誤差信号を得る演算回路である。３０はこれらの演算回路２７、２９の出力を光記録媒体検知手段２５の出力により選択する出力選択回路であり、その出力端子３１によりフォーカス誤差信号が得られる。
【００３１】
図３（Ａ）に示すように、第１の光源２で対象とするＤＶＤ用の光ディスク９Ａの合わせ面３２から記録面３３までの厚みＨ１は約０．６ｍｍである。一方、図３（Ｂ）に示すように、第２の光源３で対象とするＣＤ用の光ディスク９Ｂの合わせ面３４から記録面３５までの厚みＨ２は約１．２ｍｍである。
【００３２】
このため、図３（Ａ）に示すように、該光ディスク９Ａに第１の光源２からの光ビーム３６を合焦させて記録再生を行う場合、図３（Ｃ）に示すように、該光源２から記録面３３に照射される光ビーム３６によるスポット３７の径に比較し、第２の光源３から記録面３３に照射される光ビーム３８によるスポット３９の径は大きくなる。
【００３３】
反対に、図３（Ｂ）に示すように、光ディスク９Ｂに第２の光源３からの光ビーム３８を合焦させて記録再生を行う場合、図３（Ｄ）に示すように、第２の光源３から記録面３５に照射される光ビーム３８によるスポット３９Ａの径に比較し、第１の光源２から記録面３５に照射される光ビームによるスポット３７Ａの径は大きくなる。
【００３４】
ここで、光源２または３を使用して光ディスク９Ａまたは９Ｂの記録再生を行う場合、演算回路２０の出力（Ｃ−Ｄ）または演算回路２１の出力（ｃ−ｄ）として得られるトラッククロス信号には前記ＤＣオフセットを含む。
【００３５】
本実施の形態において、例えば第１の光源２により光ディスク９Ａの記録再生を行う場合、図３（Ｃ）に示すように、第２の光源３からの光ビームスポット３９が複数のトラック溝４３またはランド４４にわたって照射されるため、演算回路２１の出力には前記トラッククロス成分による信号はほとんど含まれない。
【００３６】
しかしトラッキングサーボにより、対物レンズ８が、光源２やディテクタ４、５など、対物レンズ８以外の他の光学系に対してラジアル方向に相対的に移動すると、前記ディテクタ４の受光素子１３、１５の出力にはその移動分による光軸ずれに起因する反射光の強度差が生じ、これが図４（Ａ）に示す演算回路２０の出力（Ｃ−Ｄ）に含まれるＤＣオフセットの量ＤＣｆを表示することになる。
【００３７】
一方、演算回路２１の出力（ｃ−ｄ）は、前述のように、トラッククロス分を含まず、ほとんど前記ＤＣオフセット分だけを含むことになる。このＤＣオフセットのレベルを、係数回路２２で係数ｋを乗じ、図４（Ａ）のＤＣオフセットＤＣｆに合わせて図４（Ａ）においてｋ（ｃ−ｄ）で示す出力を得、演算回路２３で前記（１）式の演算を行うことにより、図４（Ａ）に示すＴＥに示すＤＣオフセットが除かれたＴＥ信号が得られる。この場合、極性選択回路２４は、光記録媒体検知手段２５の出力により、ＴＥ信号の極性を反転させず、そのままＴＥ信号出力端子２６より出力する。
【００３８】
上記と反対に、第２の光源３を使用して光ディスク９Ｂの記録再生を行う場合、図３（Ｄ）に示すように、第２の光源３による光ディスク９Ｂ上のスポット３９Ａが小さく、第１の光源２による光ディスク９Ｂ上のスポット３７Ａが大きくなる。この場合、図２の演算回路２２の出力ｋ（ｃ−ｄ）を演算回路２０の出力（Ｃ−Ｄ）から減算してＤＣオフセットを除去し、極性選択回路２４より極性を反転させて、ＴＥ信号出力端子２６よりＴＥ信号として出力する。
【００３９】
なお、第１の光源２の使用により記録再生を行う場合、出力選択回路３０は演算回路２７の出力（Ａ−Ｂ）を選択して端子３１よりフォーカス誤差信号として出力する。なお、（Ａ−Ｂ）＞０はフォーカスが近すぎる場合、（Ａ−Ｂ）＝０は合焦の場合、（Ａ−Ｂ）＜０はフォーカスが遠すぎる場合である。第２の光源３の使用により記録再生を行う場合、出力選択回路３０は演算回路２９の出力（ａ−ｂ）を選択して端子３１よりフォーカス誤差信号として出力する。
【００４０】
上述のような演算によりＴＥ信号を得る場合、演算後のトラッククロス信号の振幅を真正のトラッククロス信号の９０％以上に保つためには、スポット径の比率は２．５倍以上にする必要があることを確認している。また、この非合焦側光ビームが合焦側光ビームと受光素子上で重ならないようなサイズに設定する必要と、受光素子の受光面積の制限とから、スポット径の比は１５倍以下に制限することが好ましい。
【００４１】
本発明においては、２種の光源２、３を同時に働かせるので、光学記録媒体に合致する一方の光源２（または３）からの光ビームは信号の再生やフォーカス誤差信号に用いることができ、他方の光源３（または２）の信号はＤＣオフセットの補正に用いることができる。このため、ＤＣオフセットを補正しつつ、受光素子の兼用を可能とするので、受光素子の数を減らすことができる。具体的には、２種の光源を搭載した特開平９−１２０５６８号の例では受光素子が１０個必要になるが、本実施の形態では６個の受光素子数ですむ。
【００４２】
本発明を実施する場合、図４（Ｂ）に示すように、２つの光源２、３のレーザ光の出射方向の位置をΔで示すように偏位させ、その偏位量Δを適宜に設定することにより、前記光ディスク上のスポット径の比を好適に設定することができる。この偏位量Δは、ＬＤモジュールを部品として用いる光ヘッドの光学系の設計に応じて、部品を接着するために光学ベース４０に設けられたステム４１によるケラレ等の影響がない範囲で適宜調整する。一例として、前記偏位量Δは７５μｍに設定される。
【００４３】
また、２種の光源２、３を同時に点灯させて使用するので、出射光をモニタするための受光素子４５、４６をそれぞれ個別に備えることにより、それぞれ独立に出力パワーの自動制御が行えるようにする。
【００４４】
なお、図４（Ｂ）に示すように、光源２、３の出射面が光ディスクの方向を向くように取付けることにより、立上げミラーを必要としないで製造工程および部品点数の削減が可能になる。
【００４５】
【発明の効果】
請求項１によれば、２種の光源のうち、記録再生に用いる光源のみでなく、記録再生に使用しない光源も同時に作動させるようにさせ、記録再生に使用する一方の光ビームは記録面に合焦させて照射し、他方の光ビームは非合焦として記録面上のスポット径が合焦の光ビームのスポット径よりも大きくなるようにしたので、前記他方の信号はＤＣオフセットの補正に用いることができる。このため、ＤＣオフセットを補正しつつ、受光素子の兼用を可能とするので、受光素子の数を減らすことができる。また、トラッキング誤差信号を得るための演算回路は、２種の光ビームについて１つの演算回路が共用される構成としたので、演算回路の構成も簡略化される。
【００４６】
請求項２によれば、前記合焦側の光ビームの光学記録媒体上のスポット径に対し、非合焦側の光ビームの光学記録媒体におけるスポット径を２．５以上に設定したので、前記他方の光ビームの反射光には、トラッククロスをほとんど含まない信号を得、その結果、ＤＣオフセットをほとんど含まないトラッキング誤差信号を得ることができる。また、前記スポット径を１５倍以下にしたので、ディテクタの受光素子の受光面積の制限をうけず、また、ディテクタ上の受光ビームどうしの重なりを防止することができる。
【００４７】
請求項３によれば、２種の光源のレーザ光の出射方向にそって偏位させたので、２種の光ビームの光記録媒体上におけるスポット径の差を適宜制御することができる。
【００４８】
請求項４によれば、現在使用中の光記録媒体がいずれであるかによって、トラッキング誤差信号の演算回路の出力の極性を逆転、非逆転を選択するようにしたので、トラッキング誤差信号を得る演算回路を共用を容易化することができ、回路構成が簡単になる。
【図面の簡単な説明】
【図１】本発明による光記録再生装置を構成する光ヘッド部の一実施の形態を示す構成図である。
【図２】（Ａ）は本実施の形態の回析素子およびディテクタを光軸方向に見た図、（Ｂ）は本実施の形態におけるトラッキング誤差信号およびフォーカス誤差信号を得るための回路図である。
【図３】（Ａ）、（Ｂ）はそれぞれ本実施の形態において、異なる２種の光ディスクについての記録再生を行う場合の光ビームの光ディスク上の合焦、非合焦状態を示す側面図、（Ｃ）、（Ｄ）はそれぞれ本実施の形態において、光ディスク上に照射されるスポットのサイズを説明する図である。
【図４】（Ａ）は図２（Ｂ）の回路の動作を説明する波形図、（Ｂ）は本発明を実施する場合の光源の配置の一例を示す側面図である。
【符号の説明】
１：ＬＤモジュール、２、３：光源、４、５：ディテクタ、６：ホログラム回折素子、７：コリメータレンズ、８：対物レンズ、９、９Ａ、９Ｂ：光ディスク（光記録媒体）、１１〜１６：受光素子、２０、２１、２３、２７、２９：演算回路、２２：係数回路、２４：極性選択回路、２５：光記録媒体検知手段、２６：ＴＥ信号出力端子、３０：出力選択回路、３１：フォーカス誤差信号出力端子、３２、３４：合わせ面、３３、３５：記録面、３６：第１の光源による光ビーム、３７、３７Ａ：第１の光源からの光ビームによるスポット、３８：第２の光源による光ビーム、３９、３９Ａ：第２の光源からの光ビームによるスポット、４０：光学ベース、４１：ステム、４３：溝、４４：ランド、４５、４６：受光素子
【図１】
0003755731.tif 000002
【図２】
0003755731.tif 000003
【図３】
0003755731.tif 000004
【図４】
0003755731.tif 000005